(57)【要約】【課題】腰痛ベルトによる腰痛の軽減効果を高める。【解決手段】腰痛ベルト１は、上部ベルト３と下部ベルト５の２種類のベルトからなり、上部ベルト３の腰当て部３１の下縁と下部ベルト５の臀部当て部５１の上縁に互いに面接合する面ファスナが設けられている。また、下部ベルト５の臀部当て部５１の外面における左右方向に離間した各位置にサブベルト６２Ｌ、６２Ｒがあり、このサブベルト６２Ｌ、６２Ｒの端部６７Ｌ、６７Ｒには左側部及び右側部に面接合する面ファスナが設けられている。【選択図】図１
2014076163.tif 000002
【特許請求の範囲】
【請求項１】
腰当て部とその左右の左側部及び右側部とを有する上部ベルトと、
臀部当て部とその左右の左側部及び右側部とを有する下部ベルトと
を具備し、
前記腰当て部の下縁と前記臀部当て部の上縁に互いに面接合する面ファスナが設けられていることを特徴とする腰痛ベルト。
【請求項２】
前記下部ベルトにおける前記臀部当て部と前記左側部及び前記右側部の各々との間に伸縮性素材からなる伸縮部が介在しており、
前記臀部当て部の外面における左右方向に離間した各位置に各々の一端部が固定された一対のサブベルトであって、各々における前記臀部当て部に固定された側と反対側の端部に前記左側部及び前記右側部に面接合する面ファスナが設けられた一対のサブベルト
を具備することを特徴とする請求項１に記載の腰痛ベルト。
【請求項３】
前記腰当て部よりも固い素材からなる第１、第２、第３、及び第４の固定補助用ボーンであって、第１及び第２の固定補助用ボーンの組と第３及び第４の固定補助用ボーンの組の各々が所定の間隔をあけて左右方向に離れた逆Ｖ字をなすようにして前記腰当て部に埋設された第１、第２、第３、及び第４の固定補助用ボーンを具備することを特徴とする請求項２に記載の腰痛ベルト。
【請求項４】
左右方向の長さを異にする複数種類の前記上部ベルトと左右方向の長さを異にする複数種類の前記下部ベルトを組み合わせて利用できるように構成されていることを特徴とする請求項１〜３のいずれかに記載の腰痛ベルト。
【発明の詳細な説明】
【技術分野】
【０００１】
本発明は、腰痛患者における腰の痛みを和らげる技術に関する。
【背景技術】
【０００２】
特許文献１には、腰痛患者の腰部に腰ベルトを巻きつけ固定して腰部安定と腰痛緩和を図る技術の開示がある。同文献１に開示された腰痛ベルトは、腰部巻きつけ可能な主ベルトと、この主ベルトのほぼ中央部に固定されて左右に伸びる補助ベルトとから成っている。この腰痛ベルトの主ベルトの中央部には、複数個の補強片が埋設されている。これらの補強片は、内側に膨出するように湾曲している。腰痛ベルトは、その装着時において患者の骨髄が中央部内の各補強片によってホールドされる。よって、この腰痛ベルトによると、腰部が安定して腰の痛みが和らげられる。
【先行技術文献】
【特許文献】
【０００３】
【特許文献１】特開２００２−２３８９３２号公報
【発明の概要】
【発明が解決しようとする課題】
【０００４】
ところで、人の身体における腰周りの部分の幅はその上の部分の幅よりも大きくなっている。このため、特許文献１のように患者の腰部に巻くタイプの腰痛ベルトの場合、装着後にベルトが上方にずれてしまい、腰回りを固定した状態を維持できなくなるという問題がある。
【０００５】
本発明は、このような課題に鑑みてなされたものであり、腰痛ベルトによる腰痛の軽減効果を高めることを特徴とする。
【課題を解決するための手段】
【０００６】
上記課題を解決するため、本発明は、腰当て部とその左右の左側部及び右側部とを有する上部ベルトと、臀部当て部とその左右の左側部及び右側部とを有する下部ベルトとを具備し、前記腰当て部の下縁と前記臀部当て部の上縁に互いに面接合する面ファスナが設けられていることを特徴とする腰痛ベルトを提供する。
【０００７】
本発明では、腰痛ベルトは、上部ベルトと下部ベルトの２種類のベルトからなり、上部ベルトの腰当て部の下縁と下部ベルトの臀部当て部の上縁に互いに面接合する面ファスナが設けられている。このため、腰痛ベルトをその上部ベルトと下部ベルトの接合部分を患者の腰椎の下部の両側に位置させるようにして装着した場合、上部ベルトの上方へのずれが下部ベルトにより規制され、下部ベルトの下方へのずれが上部ベルトにより規制される。よって、本発明によると、腰痛ベルトが装着後にずれてしまい、腰回りを固定した状態を維持できなくなる、という事態の発生が防止される。従って、本発明によると、腰痛ベルトによる腰痛の痛みの軽減効果を高めることができる。
【図面の簡単な説明】
【０００８】
【図１】本発明の一実施形態である腰痛ベルトを示す図である。
【図２】同腰痛ベルトの装着状態を示す図である。
【図３】同腰痛ベルトにおける上部ベルトの外面図及び内面図である。
【図４】同腰痛ベルトにおける下部ベルトの外面図及び内面図である。
【発明を実施するための形態】
【０００９】
以下、図面を参照しつつ本発明の実施形態について説明する。図１は、本発明の一実施形態である腰痛ベルト１を示す図である。図２は、腰痛ベルト１の装着状態を示す図である。この腰痛ベルト１は、上部ベルト３と下部ベルト５の２種類のベルトにより腰痛患者の腰回りと臀部回りを固定することによって患者の腰の痛みを和らげるものである。ここで、図１では、腰痛ベルト１における上部ベルト３及び下部ベルト５の左右方向の寸法は同じになっている。しかし、本実施形態では、左右方向の寸法を異にする複数種類の上部ベルト３および複数種類の下部ベルト５があり、患者のウエストやヒップのサイズに合わせて所望の種類の上部ベルト３および下部ベルト５を組み合わせることが可能である。
【００１０】
図３（Ａ）は、上部ベルト３の外面（装着状態において外側を向く面）図である。図３（Ｂ）は、上部ベルト３の内面（装着状態において内側を向く面）図である。図４（Ａ）は、下部ベルト５の外面（装着状態において外側を向く面）図である。図４（Ｂ）は、下部ベルト５の内面（装着状態において内側を向く面）図である。
【００１１】
図３（Ａ）及び図３（Ｂ）において、上部ベルト３は、非伸縮性の織布を縫製してなる腰当て部３１及び側部３２Ｌ（左側部）、３２Ｒ（右側部）と、腰当て部３１と側部３２Ｌ、３２Ｒの各々との間に介在する伸縮部３３Ｌ、３３Ｒとを有している。腰当て部３１は、等脚台形状をなしている。腰当て部３１の左縁には伸縮部３３Ｌの右縁が縫合されている。腰当て部３１の右縁には伸縮部３３Ｒの左縁が縫合されている。伸縮部３３Ｌ及び３３Ｒは、十分な伸縮性を持った素材により形成されている。伸縮部３３Ｌの左縁には側部３２Ｌの右縁が縫合されている。伸縮部３３Ｒの右縁には側部３２Ｒの左縁が縫合されている。
【００１２】
上部ベルト３における腰当て部３１、伸縮部３３Ｌ及び３３Ｒ、側部３２Ｌ及び３２Ｒの上縁は略一直線状に繋がっている。上部ベルト３における伸縮部３３Ｌ及び側部３２Ｌの下縁は腰当て部３１の下縁との境界から離れる従って上方に湾曲しており、その先の部分は側部３２Ｌの左縁に向かって略一直線状に延伸している。上部ベルト３における伸縮部３３Ｒ及び側部３２Ｒの下縁は腰当て部３１の下縁との境界から離れる従って上方に湾曲しており、その先の部分は側部３２Ｒの右縁に向かって略一直線状に延伸している。側部３２Ｌ及び３２Ｒの各々における上縁とその下縁の直線状の部分との間の幅は腰当て部３１のそれの略半分になっている。
【００１３】
上部ベルト３の側部３２Ｌの外面にはその全面に渡って面ファスナのループ面（雌）３４Ｌが敷設されている。上部ベルト３の側部３２Ｒの内面における右縁の内側近傍には矩形片３６Ｒが縫合されている。矩形片３６Ｒ上には面ファスナのフック面（雄）３７Ｒが設けられている。また、上部ベルト３の側部３２Ｒの内面における矩形片３６Ｒから左に離れた位置には矩形片３８Ｒが縫合されている。この矩形片３８Ｒ上には面ファスナのフック面（雄）３９Ｒが設けられている。
【００１４】
上部ベルト３の腰当て部３１の外面における下縁の僅かに内側には面ファスナのループ面（雌）４１が設けられている。上部ベルト３の腰当て部３１の内面におけるループ面４１の反対側には面ファスナのループ面（雌）４２が設けられている。また、上部ベルト３の腰当て部３１の内面にはその全面に渡ってトルマリン及びゲルマニウムを含む素材が敷設されている。
【００１５】
上部ベルト３の腰当て部３１には４つの固定補助用ボーン４３−ｍ（ｍ＝１〜４）が埋設されている。ボーン４３−ｍ（ｍ＝１〜４）は、腰当て部３１よりも十分に固い素材を棒状に成形したものである。腰当て部３１内におけるボーン４３−１及び４３−２の組とボーン４３−３及び４３−４の組の各々は左右方向に離れた逆Ｖ字状をなしている。
【００１６】
より具体的に説明すると、ボーン４３−１は、腰当て部３１における左縁の僅かに内側にある。ボーン４３−１は、腰当て部３１の左縁と平行な方向を向いている。ボーン４３−２は、腰当て部３１におけるボーン４３−１の内側（右側）にある。ボーン４３−２は、腰当て部３１の右縁と平行な方向を向いている。ボーン４３−１の上端とボーン４３−２の上端は接している。ボーン４３−１とボーン４３−２の間隔は各々の下端に近づくほど広くなっている。
【００１７】
ボーン４３−４は、腰当て部３１における右縁の僅かに内側にある。ボーン４３−４は、腰当て部３１の右縁と平行な方向を向いている。ボーン４３−３は、腰当て部３１におけるボーン４３−４の内側（左側）にある。ボーン４３−３は、腰当て部３１の左縁と平行な方向を向いている。ボーン４３−３の上端とボーン４３−４の上端は接している。ボーン４３−３とボーン４３−４の間隔は各々の下端に近づくほど広くなっている。ボーン４３−２の下端とボーン４３−３の下端は僅かな間隔をあけて左右方向に離れている。
【００１８】
図４（Ａ）及び図４（Ｂ）において、下部ベルト５は、非伸縮性の織布を縫製してなる臀部当て部５１及び側部５２Ｌ（左側部）、５２Ｒ（右側部）と、臀部当て部５１と側部５２Ｌ、５２Ｒの各々との間に介在する伸縮部５３Ｌ、５３Ｒとを有している。臀部当て部５１は、等脚台形の一方の底辺をその中点で分けた各部分を山なりに膨らませたような形状をなしている。臀部当て部５１の左縁には伸縮部５３Ｌの右縁が縫合されている。臀部当て部５１の右縁には伸縮部５３Ｒの左縁が縫合されている。伸縮部５３Ｌ、５３Ｒは、十分な伸縮性を持った素材により形成されている。伸縮部５３Ｌの左縁には側部５２Ｌの右縁が縫合されている。伸縮部５３Ｒの右縁には側部５２Ｒの左縁が縫合されている。
【００１９】
下部ベルト５における臀部当て部５１、伸縮部５３Ｌ、５３Ｒ、及び側部５２Ｌ、５２Ｒの上縁は略一直線状に繋がっている。下部ベルト５における伸縮部５３Ｌ及び側部５２Ｌの下縁は臀部当て部５１の下縁との境界から離れる従って上方に湾曲しており、その先の部分は側部５２Ｌの左縁に向かって略一直線状に延伸している。下部ベルト５における伸縮部５３Ｒ及び側部５２Ｒの下縁は臀部当て部５１の下縁との境界から離れる従って上方に湾曲しており、その先の部分は側部５２Ｒの右縁に向かって略一直線状に延伸している。側部５２Ｌ、５２Ｒの各々における上縁とその下縁の直線状の部分との間の幅は臀部当て部５１のそれの略半分になっている。
【００２０】
下部ベルト５の側部５２Ｌの外面にはその全面に渡って面ファスナのループ面（雌）５４Ｌが敷設されている。下部ベルト５の側部５２Ｒの外面にはその全面に渡って面ファスナのループ面（雌）５５Ｒが敷設されている。下部ベルト５の側部５２Ｒの内面における右縁の内側近傍には矩形片５６Ｒが縫合されている。矩形片５６Ｒ上には面ファスナのフック面（雄）５７Ｒが設けられている。また、下部ベルト５の側部５２Ｒの内面における矩形片５６Ｒから左に離れた位置には矩形片５８Ｒが縫合されている。この矩形片５８Ｒ上には面ファスナのフック面（雄）５９Ｒが設けられている。
【００２１】
下部ベルト５の臀部当て部５１の上縁には上方に凸んだ凸部５８が形成されている。凸部５８の外面には面ファスナのフック面（雄）５９が設けられている。凸部５８の内面には面ファスナのフック面（雄）６０が設けられている。また、下部ベルト５の臀部当て部５１の外面における凸部５８よりも僅かに下の位置には、面ファスナのループ面（雌）６１が設けられている。下部ベルト５の臀部当て部５１の内面にはその全面に渡ってトルマリン及びゲルマニウムを含む素材が敷設されている。
【００２２】
下部ベルト５の臀部当て部５１の外面の下方における左右方向に離間した各位置には一対のサブベルト６２Ｌ、６２Ｒが固定されている。サブベルト６２Ｌは２つの細帯６３Ｌ及び６４Ｌからなる。サブベルト６２Ｒは２つの細帯６３Ｒ及び６４Ｒからなる。下部ベルト５の臀部当て部５１の外面の下方における左縁及び右縁の各近傍には５角形状の布６５Ｌ及び６５Ｒがある。これらの布６５Ｌ及び６５Ｒのうち左側の布６５Ｌは、当該布６５Ｌにおける布６５Ｒを向いた２辺の各々と臀部当て部５１の外面との間に細帯６３Ｌ及び６４Ｌの各一端を挟んだ状態で臀部当て部５１に縫合されている。この縫合により、細帯６３Ｌ及び６４Ｌの各一端は臀部当て部５１に固定される。右側の布６５Ｒは、当該布６５Ｒにおける布６５Ｌを向いた２辺の各々と臀部当て部５１の外面との間に細帯６３Ｒ及び６４Ｒの各一端を挟んだ状態で臀部当て部５１に縫合されている。この縫合により、細帯６３Ｒ及び６４Ｒの各一端は臀部当て部５１に固定される。
【００２３】
サブベルト６２Ｌの細帯６３Ｌにおける臀部当て部５１に固定された側と反対側の部分と細帯６４Ｌにおける臀部当て部５１に固定された側と反対側の部分は細帯６４Ｌを下にして重ね合わされている。細帯６３Ｌにおける臀部当て部５１に固定された側と反対側の端部は、細帯６４Ｌにおける臀部当て部５１に固定された側と反対側の端部６７Ｌよりも僅かに手前の位置に縫合されている。細帯６４Ｌの端部６７Ｌには面ファスナのフック面（雄）６８Ｌが設けられている。
【００２４】
サブベルト６２Ｒの細帯６３Ｒにおける臀部当て部５１に固定された側と反対側の部分と細帯６４Ｒにおける臀部当て部５１に固定された側と反対側の部分は細帯６４Ｒを下にして重ね合わされている。細帯６３Ｒにおける臀部当て部５１に固定された側と反対側の端部は、細帯６４Ｒにおける臀部当て部５１に固定された側と反対側の端部６７Ｒよりも僅かに手前の位置に縫合されている。細帯６４Ｒの端部６７Ｒには面ファスナのフック面（雄）６８Ｒが設けられている。
【００２５】
図１に示すように、腰痛ベルト１における上部ベルト３と下部ベルト５は、上部ベルト３のループ面（雌）４１（図３（Ａ））に下部ベルト５の凸部５８のフック面（雄）６０（図４（Ｂ））を接合することによって一体化される。そして、この腰痛ベルト１は、上部ベルト３と下部ベルト５とを一体化した状態において次のようにして装着する。
【００２６】
まず、上部ベルト３の腰当て部３１をそのボーン４２−２及び４２−３の下端間を患者の腰椎の下部（第４腰椎と第５腰椎のあたり）の両側に位置させるようにして患者の腰に当てて側部３２Ｌ及び３２Ｒを腹部の側に回し、側部３２Ｌの上に側部３２Ｒを重ねて側部３２Ｒのフック面３７Ｌ及び３９Ｌを側部３２のループ面３４Ｌに面接合させる。
【００２７】
次に、下部ベルト５の臀部当て部５１を患者の臀部に当てて側部５２Ｌ、５２Ｒを下腹部の側に回し、側部５２Ｌの上に側部５２Ｒを重ねて側部５２Ｒのフック面５７Ｒ及び５９Ｒを側部５２Ｌのループ面５４Ｌに面接合させる。
【００２８】
次に、サブベルト６２Ｌの端部６７Ｌを側部５２Ｌの側（斜め上）に引っ張り、サブベルト６２Ｌの端部６７Ｌのフック面（雄）６８Ｌを側部５２Ｌのループ面（雌）５４Ｌに面接合させる。また、サブベルト６２Ｒの端部６７Ｒを側部５２Ｒの側（斜め上）に引っ張り、サブベルト６２Ｒの端部６７Ｒのフック面（雄）６８Ｒを側部５２Ｒのループ面（雌）５５Ｒに面接合させる。以上の手順により、図２に示す装着状態が完成する。
【００２９】
以上が、本実施形態の構成の詳細である。本実施形態によると、次の効果が得られる。
第１に、本実施形態では、腰痛ベルト１は、上部ベルト３と下部ベルト５の２種類のベルトからなり、上部ベルト３の腰当て部３１の下縁と下部ベルト５の臀部当て部５１の上縁に互いに面接合する面ファスナが設けられている。このため、腰痛ベルト１をその上部ベルト３と下部ベルト５の接合部分を患者の腰椎の下部の両側に位置させるようにして装着した場合、上部ベルト３の上方へのずれが下部ベルト５により規制され、下部ベルト５の下方へのずれが上部ベルト３により規制される。よって、本実施形態によると、腰痛ベルト１が装着後にずれてしまい、腰回りを固定した状態を維持できなくなる、という事態の発生が防止される。従って、本実施形態によると、腰痛ベルト１による腰痛の痛みの軽減効果を高めることができる。
【００３０】
第２に、本実施形態では、臀部当て部５１と側部５２Ｌ及び側部５２Ｒの各々との間に伸縮部５３Ｌ、５３Ｒがあり、臀部当て部５１の外面における左右方向に離間した各位置にサブベルト６２Ｌ、６２Ｒがあり、このサブベルト６２Ｌ、６２Ｒの端部６７Ｌ、６７Ｒには左側部５２Ｌ及び右側部５２Ｒに面接合する面ファスナが設けられている。ここで、本願発明者らの研究によると、仙骨、第４腰椎、第５腰椎のあたりに痛みを発する腰痛の原因の略８割は、腰椎と腸骨との間の隙間が本来のものよりも狭くなったことを原因とするものである。これに対し、本実施形態の腰痛ベルト１の装着状態において、サブベルト６２Ｌ、６２Ｒにおける腰当て部３１に固定された基端部分は、装着者の坐骨の下に当たる。このため、サブベルト６２Ｌ、６２Ｒの端部６７Ｌ、６７Ｒを側部５２Ｌ、５２Ｒの側に引っ張った場合、サブベルト６２Ｌ、６２Ｒの基端部分によって坐骨が下から押され、骨盤が腰椎に対して変位する。骨盤が腰椎に対して変位すると、腰椎と腸骨との間の隙間が広がり、仙骨、第４腰椎、第５腰椎のあたりの痛みが和らぐ。よって、本実施形態によると、腰痛における仙骨、第４腰椎、第５腰椎のあたりの痛みを緩和することができる。
【００３１】
第３に、本実施形態では、腰当て部３１に４本のボーン４３−ｍ（ｍ＝１〜４）が埋設されており、４本のボーン４３−ｍ（ｍ＝１〜４）のうちのボーン４３−１及び４３−２の組とボーン４３−３及び４３−４の組は、所定の間隔をあけて左右方向に離れた逆Ｖ字をなしている。よって、本実施形態の腰痛ベルト１の装着状態において、ボーン４３−２とボーン４３−３の各下端は第５腰椎とその左右の腸骨との間にある僅かな隙間に収まり、ボーン４３−１とボーン４３−４の各下端は腸骨における第５腰椎側の端部から離れた比較的肉厚の部分に当たる。このため、腰痛ベルト１の装着状態においてボーン４３−ｍ（ｍ＝１〜４）が腸骨を刺激して患者が不快に感じることがない。また、腰痛ベルト１の装着状態において、ボーン４３−２とボーン４３−３における下端よりも上側の部分は、腰椎における第４腰椎よりも上の部分の周りの脊柱起立筋を左右両側からしっかりと保持する。従って、本実施形態によると、患者に違和感を与えることなく、腰痛ベルトベルト１の左右へのずれの発生を防止することができる。
【００３２】
第４に、本実施形態では、左右方向の長さを異にする複数種類の上部ベルト３と左右方向の長さを異にする複数種類の下部ベルト５があり、これらを組み合わせて利用できるようになっている。よって、本実施形態によると、腰痛患者の各々の体型に最もあった腰痛ベルト１を提供することができる。
【００３３】
第５に、本実施形態では、腰当て部３１及び臀部当て部５１の内側面にトルマリン及びゲルマニウムを含む素材が敷設されている。ここで、トルマリンには、血液浄化作用、細胞活性化作用、鎮静作用、自立神経の調整作用、精神安定作用、免疫強化作用などの各種作用がある。また、ゲルマニウムには、血行促進作用がある。よって、本実施形態によると、腰痛の緩和効果をより一層高めることができる。
【００３４】
第６に、本実施形態では、臀部当て部５１の上縁には上方に凸んだ凸部５８が形成されており、凸部５８の内面と外面の両方に面ファスナのフック面５９及び６０が設けられており、臀部当て部５１の外面における凸部５８の下には面ファスナのループ面６１が設けられている。このため、下部ベルト５における凸部５８を臀部当て部５１の外面の側に折り返し、凸部５８のフック面５９を臀部当て部５１のループ面６１に面接合させると、凸部５８のフック面６０が外側を向いたままになる。よって、本実施形態によると、下部ベルト５をそれ単体として利用する場合において、凸部５８のフック面６０が背中に当たり、患者が不快に感じる、という事態の発生を防止することができる。
【００３５】
第７に、本実施形態では、上部ベルト３における左側部３２Ｌ及び右側部３２Ｒの一方である側部３２Ｒに、左右方向に離間した２つのフック面３７Ｒ、３９Ｒ（面ファスナ）が設けられており、下部ベルト５における左側部５２Ｌ及び右側部５２Ｒの一方である側部５２Ｒに、左右方向に離間した２つのフック面５７Ｒ、５９Ｒ（面ファスナ）が設けられている。よって、本実施形態によると、たとえば、フック面３７Ｒ及び３９Ｒのうちのフック面３９Ｒをループ面３４Ｌに面接合させたままフック面３７Ｒのループ面３４Ｌ上の位置を変えることにより、ベルト全体としての緩みを防ぎつつベルトの締め具合を微調整することができる。
【００３６】
第８に、本実施形態では、臀部当て部５１は、等脚台形の一方の底辺をその中点で分けた各部分を山なりに膨らませたような形状をなしている。腰痛ベルト１の装着状態において、臀部当て部５１の山なりに膨らんだ部分が臀部にフィットして下部ベルト５のずれが防止される。
【００３７】
以上、本発明の一実施形態について説明したが、かかる実施形態に以下の変形を加えてもよい。
（１）上記実施形態において、矩形片３６Ｒ、３７Ｒを別の形状を有するものに置き換えてもよい。
（２）上記実施形態において、布６５Ｌ、６５Ｒは５角形状である必要はない。また、布６５Ｌ、６５Ｒを設けずに、サブベルト６２Ｌ、６２Ｒにおける細帯６３Ｌ、６４Ｌ、６３Ｒ、６４Ｒの一端部を腰当て部３１に直に縫合してもよい。
【符号の説明】
【００３８】
１…腰痛ベルト、３…上部ベルト、５…下部ベルト、３１…腰当て部、５１…臀部当て部、３２，５２…側部、３３，５３…伸縮部、４１…固定補助用ボーン、６７…補助ベルト。
【図１】
2014076163.tif 000003
【図２】
2014076163.tif 000004
【図３】
2014076163.tif 000005
【図４】
2014076163.tif 000006
【手続補正書】
【提出日】平成25年9月13日(2013.9.13)
【手続補正１】
【補正対象書類名】図面
【補正対象項目名】図３
【補正方法】変更
【補正の内容】
【図３】
2014076163.tif 000007
【手続補正２】
【補正対象書類名】図面
【補正対象項目名】図４
【補正方法】変更
【補正の内容】
【図４】
2014076163.tif 000008